(57)【要約】【課題】デジタル方式を採用することによって、直接記憶装置から設定値を読み取り、人工的調整を必要とせず、作業時間の節約及び人工的調整の誤差を減らすと共に、Ｖ−comの電圧誤差値をちじめることのできるデジタル式電気泳動型ディスプレイのパネル駆動装置及び方法。【解決手段】このデジタル式電気泳動型ディスプレイのパネル駆動装置には、電気泳動型ディスプレイの上に設置されたパネル駆動記憶装置と、接続回路と、を含み、システムボードが前記接続回路を経由して前記パネル駆動記憶装置の中のデータを読み取る。【選択図】図４Ａ
2009216771.tif 000002
【特許請求の範囲】
【請求項１】
電気泳動型ディスプレイのパネル上に設置されたパネル駆動記憶装置と、
接続回路と、を含み、
制御チップが前記接続回路を経由して前記パネル駆動記憶装置の中のデータを読み取ることを特徴とする、
デジタル式電気泳動型ディスプレイのパネル駆動装置。
【請求項２】
デジタル式電気泳動型ディスプレイのパネル駆動方法であって、
システムの表示データを確認する第１ステップと、
制御チップがパネル駆動記憶装置の中のデジタルパネル駆動データを読み取る第２ステップと、
制御チップが読み取ったパネル駆動記憶装置の中のデジタルパネル駆動データをアナログ電位信号に変換する第３ステップと、
制御チップがアナログ電位信号をパネル上の駆動集積回路へ送ってパネルを駆動する第４ステップと、を含むことを特徴とする、
デジタル式電気泳動型ディスプレイのパネル駆動方法。
【請求項３】
前記第３ステップでは、アナログ電位信号を電圧インバーターによってアナログ電位信号に変換してパネル上の駆動集積回路へ送ることを特徴とする、請求項２に記載のデジタル式電気泳動型ディスプレイのパネル駆動方法。
【請求項４】
前記制御チップがアナログ電位信号の出力を制御することを特徴とする、請求項２又は３に記載のデジタル式電気泳動型ディスプレイのパネル駆動方法。
【発明の詳細な説明】
【技術分野】
【０００１】
本発明は、デジタル式電気泳動型ディスプレイのパネル駆動装置及び方法、特に、電気泳動型ディスプレイ（電子ペーパー）に応用される駆動装置及び方法に関するものである。
【背景技術】
【０００２】
所謂電気泳動型ディスプレイ（電子ペーパー）は、一般に見かけられる繊維性ペーパーとは異なり、数多くの“微小球体”（カプセル）(1)を含む“導電性高分子”材料からなり、その外観及び特徴は一般の紙質と同じで、フレキシビリティを備え、又繰り返し資料を表示することが出来る。
電子ペーパーの技術においては、微小球体の大きさがディスプレイ・ピクセル（Pixel）の大きさを代表し、この微小球体の特色は、米国特許公開番号20060050050に掲示されたエレクトロニック・インク・ディスプレイのように、外部電圧の駆動を受けてその状態を変えることが出来ることである。
電子ペーパー導電の特色は、外部駆動電圧によって変えられることであり、従ってその材料は電気の導体でなければならない。
又、電子ペーパーは高分子材料を使用することによってそのフレキシブル（flexible）な特色を発揮し、一般の紙のように撓めることが出来る。
【０００３】
前述電気泳動型ディスプレイ（電子ペーパー）の長所は、その輝度が反射型カラーLCDの3〜6倍に達し、一層閲読し易いことである。また、薄暗い所や直射日光の環境においても閲覧することが出来、そのコントラストは新聞紙より高く、且つペーパー上にプリントされた文書同様、任意の角度からでも閲読可能である。
そして、前述の電気泳動型ディスプレイは、ディスプレイの電源を切った後でも、依然画面を表示することが出来るので、ポータブル設備の電池寿命を延長させ、通常、使用時にバックライトを必要とせず、標準電力消耗量はノートブックパソコン・ディスプレイの1/1000より少ない。
尚、電気泳動型ディスプレイでは、紙の上でインクによって書かれた文字のように表示されるので、目の疲労を軽減することが出来、又普通のLCDタイプに比べ、より薄くて軽い。
【０００４】
Wikipediaオンライン百科全書(www.wikipedia.org）の説明によれば、（http://en.wikipedia.org/wiki/Electronic paper参照)最初の電気泳動型ディスプレイ（電子ペーパー）技術は、Xeroxの研究社員Nick Sheridonによって1970年に開発された、その特色は、帯電した小球を含み、球の一面は白色、別の一面は黒色で、エレクトリック・フィールドが変わった場合、球が上下に転動して、異なる色を表す。
【０００５】
二代目の電気泳動型ディスプレイ技術に使われるマイクロカプセルには、白と黒二種類の顔料（エレクトリック・インクE-Inkと呼ばれる）が含まれ、且つその内部には透明な流体を含み、前記マイクロカプセルの上面は透明なガラスで、下方はロワー電極、上方はアッパー電極となっている。
電極が変わると、カプセルの中の顔料が電極の正負に従って上向き又は下向きに移動して黒と白の色を表す。
その特徴は、マイクロカプセルによって従来の小球に取って代わると共にカプセルの中に帯電した黒色粒子及び帯電した白色粒子を充填し、外部エレクトリック・フィールドの制御によって白色粒子を上又は下へ移動させ、黒色粒子が上へ向かうと（読者の方向に近づくと）、黒色のピクセルを現し、黒色粒子が下へ向くと（読者から遠ざかると）、白色のピクセルを現す。ここで白黒顔料を選ぶメリットは、解析度を増加できることで、例えば、同じカプセルにおいてプラスとマイナス両方の電極駆動を受けるとことが出来る、言い換えれば、一つのカプセルで二種類の色を表示できる。
【０００６】
この種のE-Ink式電子ペーパーの基本モジュールは非常に簡単なため、ゼロックス社では、関連技術を、プラスチックやガラス乃至は織物など異なる表面材質のキャリヤーに応用できる、と強調している。
電気泳動型ディスプレイ（電子ペーパー）は移動携帯性が強く、繰り返し使用出来、更新スピードが速く、コストがより安く、手書き入力も出来るので、電子ペーパーのこれらの技術長所は未来の出版業界に革命的挑戦をもたらし、大量の閲読材料、更には紙やプリンターまで携帯でき、いつでもどこでも最新新聞雑誌を読み、又いつでも文書を訂正することが出来る、電子ペーパー技術の発展によって、このような情況がわれわれの身辺に忍びよりつつある。
【０００７】
又最も重要なことは、電子ペーパーの出現によってわれわれは一層有効に森林を保護し、地球環境を保護することが出来るようになることである。
現在、全世界では毎年２億トン以上の紙を消耗しており、大量の樹木を伐採しなければならない。電子ペーパーの出現は生態バランスを維持する上で重要な貢献がある。
【０００８】
更に一歩進んで、電気泳動型ディスプレイ（電子ペーパー）の出現はメディア報道の革新を推進しつつある。日本通信部門では、ブロードバンド・ネットワークによって、国内の主要新聞雑誌をデジタル信号でユーザーのパソコンへ配信し、ユーザーは特定のソフトで新聞を読むことが出来ると宣言している。
電子ペーパーがあれば、これら新聞雑誌の内容を全部ダウンロードしたり無線ネットワークで伝送することが出来る。勿論ブログやネット上の内容もダウンロードし、いつどこでも閲読することが出来る。
アメリカのフリスト研究会社のアナリスト、マックイーン氏は、電子ペーパーが若しカラー化やテレビ配信表示などの技術的飛躍を実現できれば、普及済の液晶ディスプレイに取って代わり、同時に閲読観念を変える革命を引き起こすだろうと言っている。
【０００９】
只、現在開発されつつある電気泳動型ディスプレイ（電子ペーパー）は、実用面、つまり生産コスト・ディスプレイの持続時間・駆動電圧・信頼性及び画面更新の反応時間などの面で、尚障碍が存在する。
書籍や雑誌新聞など色々の印刷物ではデジタル化が進んでおり、一方、デジタル読み取り用端末の開発も進行中ではあるが、この方面の問題は、如何にして閲覧及び読書時の感覚を紙を使用する時の感覚に近づけるか？と言うことにある。
単に“電子ペーパー”だけでは、ディスプレイを構成することは出来ない、そのほかにも、図像部と非図像部のコントラスト、即ち読み易さを確保し、元の図像や文字を消したり書き換えたり、図像の書き込み及び保存の省エネ化などが必要条件となる。
【００１０】
従来のデジタル式電気泳動型ディスプレイのパネル駆動は、第１Ａ図従来型電気泳動型ディスプレイのパネル駆動のフローチャートを参照して、電気泳動型ディスプレイのパネルは前段階製造工程（10）において、パラメータの設定・材料・パッキング及び環境の影響で、電気泳動型ディスプレイ・パネルは何れもわずかな差異がある。そのため、パネルメーカーは異なるコモンボルテージ（V-com）（11）を提供しなければならない。
したがって、電気泳動型ディスプレイのパネルを駆動する時、一枚毎にシステムボード上のコモンボルテージ（V-com）を調整しなければならない。
電気泳動型ディスプレイのパネルの後段階製造工程（12）においては、電気泳動型ディスプレイのパネルをカットした後、その他の素子、例えばコンデンサー・駆動IC・外枠・フレキシブルプリント基板など多種類の部品を組み立てた後、システム生産組み立て工程に入った時、従来の方法では、人工的に可変抵抗（13）を調整する方式でV-com電圧を変更する目的を達成する。その後で、波形電圧値をシステムボード上の記憶装置（14）に書き入れ、システムが画面（15、16）表示を確認するのを待つ。
システムボード上の記憶装置から波形電圧値（17）を読み取った後、コモンボルテージ（V-com）と結合して画面を表示する。
第１Ｂ図の従来の電気泳動型ディスプレイのパネル駆動装置図を参照して、人工的に可変抵抗（111）を調整する方式で、且つ負荷効果がコモンボルテージ（V-com）に影響するのを避けて、バッファー回路（112）によって電圧をスイッチの入力側へ出力し、制御チップを利用してコモンボルテージのスイッチ（114）を制御して出力側（115）へ出力する。
【発明の開示】
【発明が解決しようとする課題】
【００１１】
本発明の目的は、デジタル式電気泳動型ディスプレイのパネル駆動方法を提供することにある。
その趣旨は、電気泳動型ディスプレイのパネル更新時の可変抵抗を調整する時間を減少し、更に電気泳動型ディスプレイの画面表示スピードを加速させることである。
【００１２】
従来の方法では、人工的に可変抵抗を調整する方式で、コモンボルテージ（V-com）を変更する目的を達成するので、作業時間の無駄があり、且つ人工的調整は人為的な手違いで間違った調整をしたり、誤差が大きくなったりする問題がある。
上述した目的及びその他の目的を達成するため、本案発明はデジタル式電気泳動型ディスプレイのパネル駆動装置及び方法を提供する。
新しい方法は、デジタル方式をとり、直接記憶装置から設定値を読み取り、人工的調整を必要とせず、作業時間を節約し、人工的調整の誤差を減らすと共に、デジタル化された電圧誤差はアナログタイプの可変抵抗で調整した場合よりも誤差が小さいので、V-comの電圧誤差を縮めることができる。
前述電気泳動型ディスプレイの駆動は可変抵抗の調整によるもので、この方法でメンテナンス又は生産テストを行う時は、システムボードのコモンボルテージの設定値をパネルと同調させなければならず、対応するパネルを探したり、VRを調整してメンテナンス又はテストするパネルに合せたりしなければならないので、少なからず時間の無駄が生じる。
【課題を解決するための手段】
【００１３】
本発明による新しい方法は、パネル上の記憶装置から直接読み取りを行い、メンテナンス人員やテスト人員は、対応するパネルを探したり又は改めて可変抵抗を調整する必要がなく、非常に便利で、且つ作業時間を節約することができる。
【発明を実施するための最良の形態】
【００１４】
以下、本発明の目的、駆動方法の特徴及び効果を一歩進めて認識し、理解してもらうため、実施例と図面を挙げて、詳細に説明する。
【実施例】
【００１５】
本発明は、デジタル式電気泳動型ディスプレイのパネル駆動装置及び方法を提供する、記憶装置によってコモンボルテージの設定値及びパネル駆動データを保存し、デジタル方式で、直接記憶装置から設定値を読み取り、人工的調整を必要とせず、作業時間を節約し、人為的誤差を減らすことができる。
【００１６】
このデジタル式電気泳動型ディスプレイのパネル駆動装置には、電気泳動型ディスプレイの上に設置されたパネル駆動記憶装置と、接続回路と、を含み、システムボードが前記接続回路を経由して前記パネル駆動記憶装置の中のデータを読み取る。
【００１７】
本発明第２図の実施例を参照して、本案実施例は、主として電気泳動型ディスプレイのパネル（２）のフレキシブルプリント基板（２３）の上に、駆動記憶装置（２４）を加え、元の電気泳動型ディスプレイパネルのフレキシブルプリント基板のフレキシブル接続ケーブル（FPC Tail）（２６）のNC ピン（NC Pin）に記憶装置集積回路（２５）及び制御チップのインターフェースピン足を加えたものである。
【００１８】
電気泳動型ディスプレイ・パネルの前段階製作工程では、パラメータの設定・材料・パッキング及び環境の影響で、電気泳動型ディスプレイ・パネルは何れもわずかな差異がある。そのため電気泳動型ディスプレイ・パネルを駆動するとき、一枚毎にコモンボルテージ（V-com）を調整しなければならない。
【００１９】
電気泳動型ディスプレイ・パネルの後段階製作工程では、電気泳動型ディスプレイのパネルをカットした後、その他の素子、例えばコンデンサー・駆動IC・外枠・フレキシブルプリント基板などの部品を組み立てる生産作業において、従来の方法では、人工的に可変抵抗器を調整する方式でV-com電圧を変更する目的を達成していた。
【００２０】
本発明は、デジタル式電気泳動型ディスプレイのパネル駆動装置及び方法を提供し、パネルメーカーがそれぞれの電気泳動型ディスプレイのパネルに対して提供すべき異なるコモンボルテージ（V-com）を、デジタル式データのモードで記憶装置の中に保存しておく。このほか、中華民国特許請求番号096127424号に示されるように、電気泳動型ディスプレイの駆動電圧波形を保存してもよい。
【００２１】
前記発明は、主動式電気泳動型ディスプレイの駆動方法を提供するもので、この主動式電気泳動型ディスプレイにはマトリックス形式で配列した複数のピクセルを有し、序列的に単一ピクセル又は数個のピクセルを駆動し、一枚の図形を入力するとき、ピクセル一つ一つの灰色諧調値を検知して、ピクセルに対して序列的駆動を行う。
【００２２】
第一回序列的駆動は、パネル上のすべてのピクセルに対して駆動電圧を加え、すべてのピクセルを両極端灰色諧調値の中の一つに変換させる。
定義付けされた解析度ビットに基づいて、複数回序列的駆動を行い、パネル上のすべての一段下の灰色諧調値以上のピクセルに対し、一段上の灰色諧調値を一段下の灰色諧調値に変換するために必要な駆動時間及び所要の駆動電圧を加える。このようにして、電気泳動型ディスプレイの画面表示を加速させる。
【００２３】
各灰色諧調の総駆動時間を調整し、個別的に余分の駆動時間を異なる灰色諧調値に必要な駆動時間に対して増加又は減少することによって、個々の灰色諧調値の画面表示を制御しやすくする。
前記駆動時間又は駆動電圧のデータは、パネル上の記憶装置の中に保存しておくことができる。
【００２４】
本発明第３図の実施例を参照して、電源制御器（34）がマイクロ制御器（MCU）(33)に必要な電極を提供し、フレキシブルプリント基板のフレキシブル接続ケーブル（FPC Tail）(26)及びフレキシブルプリント基板の接続側（27）を経由して、制御チップ（31）が前記パネル駆動記憶装置（24）の中のデータを読み取り、且つパネル電源モジュール（31）を利用して電源を電気泳動型ディスプレイのパネル（２）へ伝送する。
【００２５】
データを読み取ったら、制御チップを経由してデジタル式データをアナログ式電位信号に変換し、駆動チップ（21）へ提供して電気泳動型ディスプレイを駆動する。
【００２６】
デジタル式電気泳動型ディスプレイのパネル駆動方法については、本発明第４Ａ図のフローチャートを参照して、電気泳動型ディスプレイのパネルの前段階製造工程（40）では、パラメータの設定・材料・パッキング及び環境の影響で、電気泳動型ディスプレイ・パネルは何れもわずかな差異がある。そのため、パネルメーカーは異なるコモンボルテージ（V-com）（41）を提供し、且つデジタル化した調整データ及びコモンボルテージ値を駆動記憶装置の中に記入しておく。
【００２７】
デジタル式電気泳動型ディスプレイのパネルの後段階製造工程（42）では、電気泳動型ディスプレイのパネルをカットした後、その他の素子、例えばコンデンサー・駆動IC・外枠・フレキシブルプリント基板などの部品を組み立て、それからシステムの指令を待つ、その画面駆動には下記のいくつかのステップがある。
【００２８】
第一ステップ（44）は、システムの表示データを確認する、システムが異なる来源のデータを計算・整合した後、その結果を図面の方式で表示する、このステップのシステム確認はユーザーに示す図像を表示するためである。
【００２９】
第２ステップ（45）は、制御チップがパネル駆動記憶装置の中のデジタルパネル駆動データを読み取り、パネルメーカーは、それぞれの電気泳動型ディスプレイのパネルに対して異なるコモンボルテージ（V-com）・駆動時間又は駆動電圧を提供し、デジタル式データ・モードで記憶装置の中に保存しておく。デジタル式電気泳動型ディスプレイのパネル駆動装置には、電気泳動型ディスプレイのパネルの上に設置されたパネル駆動記憶装置と、接続回路と、を含み、システムボードが接続回路を経由して前記パネル駆動記憶装置の中のデータを読み取る。
【００３０】
第３ステップ（46）は、制御チップが読み取ったパネル駆動記憶装置の中のデジタルパネル駆動データをアナログ電位信号に変換する。
【００３１】
第４ステップ（47）は、制御チップがアナログ信号をパネル上の集積回路駆動パネルへ送り込んで駆動する。
【００３２】
本発明第４Ｂ図の実施例を参照して、制御チップ（51）が読み取ったパネル駆動記憶装置の中のデジタルパネル駆動データを制御チップ（51）の中のデジタル・アナログ変換機（52）によってアナログ信号に変換し、制御チップを経由してコモンボルテージのスイッチ（54）を制御し、電圧インバーター（53）によって送り出されたアナログ信号を出力側（55）からパネル上の駆動集積回路へ送る。
【００３３】
上記詳細な説明は、本発明の実行可能な一つの実施例についての具体的説明である。但し、これらの実施例は、本案発明の特許請求範囲を制限するものではなく、凡そ本案発明の技芸精神を逸脱せずになされる等価実施又は変更は、すべて本案特許請求の範囲に含まれるものとする。
【図面の簡単な説明】
【００３４】
【図１Ａ】従来の電気泳動型ディスプレイのパネル駆動のフローチャートである。
【図１Ｂ】従来の電気泳動型ディスプレイのパネル駆動装置図である。
【図２】デジタル式電気泳動型ディスプレイのパネル駆動装置図である。
【図３】デジタル式電気泳動型ディスプレイのパネル駆動ブロック図である。
【図４Ａ】デジタル式電気泳動型ディスプレイのパネル駆動のフローチャートである。
【図４Ｂ】デジタル式電気泳動型ディスプレイ上で記憶装置から読み取る図である。
【符号の説明】
【００３５】
10〜18  従来の電気電気泳動型ディスプレイの駆動手順
111  可変抵抗
112  バッファー回路
114  コモンボルテージスイッチ
115  出力側
2  電気電気泳動型ディスプレイ
23  フレキシブルプリント基板
24  駆動記憶装置
26  フレキシブル接続ケーブル
25  記憶装置集積回路
34  電源制御器
33  マイクロ制御器
27  フレキシブルプリント基板接続側
31  制御チップ
32  パネル電源モジュール
21  駆動チップ
40〜47  デジタルアナログ変換機
51  制御チップ
52  デジタルアナログ変換機
54  コモンボルテージのスイッチ
53  電圧インバーター
55  出力側
【図１Ａ】
2009216771.tif 000003
【図１Ｂ】
2009216771.tif 000004
【図２】
2009216771.tif 000005
【図３】
2009216771.tif 000006
【図４Ａ】
2009216771.tif 000007
【図４Ｂ】
2009216771.tif 000008